(57)【要約】【課題】本発明は、所定モードに設定されている場合、検索クエリに対応する情報を記憶部に記憶された辞書から抽出処理することで、検索サーバによる検索を抑制することが可能な通信端末を提供することを目的とする。【解決手段】携帯電話機１は、少なくとも１つの辞書を記憶するメモリ４４と、検索要求受付部１０７と、無線通信部２００と、モードを判定するモード判定部１０６と、モード判定部１０６により第１モードに設定されていると判定された場合、無線通信部２００による前記検索クエリの送信を禁止し、メモリ４４に記憶される辞書から検索クエリに対応する情報を検索結果として抽出処理し、モード判定部１０６により第２モードに設定されていると判定された場合、無線通信部２００に検索クエリを検索サーバに送信させる検索実行部１０８と、検索結果を表示する表示部２１と、を備える。【選択図】図４
2010102689.tif 000002
【特許請求の範囲】
【請求項１】
第１モード又は第２モードに設定可能なモード設定部と、
少なくとも１つの辞書を記憶する記憶部と、
１又は複数の文字列を含む検索クエリによる検索要求を受け付ける検索要求受付部と、
前記検索要求受付部の検索要求受付に応じて、前記検索クエリを外部の検索サーバに送信すると共に前記検索サーバからの検索結果を受信する通信部と、
前記モード設定部により設定されたモードを判定するモード判定部と、
前記モード判定部により前記第１モードに設定されていると判定された場合、受け付けた前記検索クエリの前記通信部による送信を禁止し、前記記憶部に記憶される辞書から前記検索クエリに対応する１又は複数の情報を検索結果として抽出処理し、
前記モード判定部により前記第２モードに設定されていると判定された場合、前記通信部に前記検索クエリを前記検索サーバに送信させる検索実行部と、
を備えることを特徴とする通信端末。
【請求項２】
請求項１に記載の通信端末であって、
前記辞書から抽出された検索結果の内容、又は、前記検索サーバからの検索結果の内容を表示する表示部を備えることを特徴とする通信端末。
【請求項３】
請求項２に記載の通信端末であって、
前記表示部は、前記辞書から抽出された検索結果の内容を表示する場合、前記辞書から抽出された１又は複数の情報にアクセス可能なリンク情報をリスト表示することを特徴とする通信端末。
【請求項４】
請求項１〜３のいずれか１項に記載の通信端末であって、
前記検索実行部は、
前記辞書から前記検索クエリに対応する１又は複数の情報を検索結果として抽出処理した後、前記検索要求受付部により、同じ検索クエリ、又は、同じ検索クエリを構成する文字列を検索クエリとした検索要求が受け付けられた場合、
前記モード判定部により前記第１モードであると判定されていても前記通信部に前記同じ検索クエリ又は前記同じ検索クエリを構成する文字列を内容とする検索クエリを前記検索サーバに送信させることを特徴とする通信端末。
【請求項５】
請求項４に記載の通信端末であって、
前記検索実行部は、
前記辞書から前記１又は複数の情報を抽出できた場合、前記通信部に前記同じ検索クエリ又は前記同じ検索クエリを構成する文字列を内容とする検索クエリを前記検索サーバに送信させ、
前記辞書に検索クエリに対応する情報がなく、前記１又は複数の情報を抽出できなかった場合、前記通信部に前記同じ検索クエリ又は前記同じ検索クエリを構成する文字列を内容とする検索クエリを前記検索サーバに送信させないことを特徴とする通信端末。
【請求項６】
請求項１〜３のいずれか１項に記載の通信端末であって、
前記検索クエリを構成する１又は複数の第１文字列を入力可能な入力部を備え、
前記記憶部は、１又は複数の第２文字列を記憶し、
前記第１モードに設定されていると判定された場合、前記入力部により入力された１又は複数の第１文字列に、前記記憶部に記憶される１又は複数の第２文字列を付加した内容の検索クエリを生成するクエリ生成部を備え、
前記検索実行部は、前記クエリ生成部が生成した検索クエリを前記検索サーバに送信させることを特徴とする通信端末。
【請求項７】
請求項６に記載の通信端末であって、
前記第１モードに設定されていると判定された場合、複数の検索カテゴリの中からいずれかを選択可能な検索カテゴリ選択部を備え、
前記記憶部は、前記１又は複数の第２文字列を検索カテゴリごとに分類して記憶し、
前記クエリ生成部は、
前記第１モードに設定されていると判定された場合、前記入力部により入力された１又は複数の第１文字列に、前記検索カテゴリ選択部により選択された所定の検索カテゴリに分類される１又は複数の第２文字列を付加した内容の検索クエリを生成することを特徴とする通信端末。
【請求項８】
請求項１〜７のいずれか１項に記載の通信端末であって、
前記第１モードは、子供モードであり、
前記第２モードは、大人モードであることを特徴とする通信端末。
【請求項９】
請求項８に記載の通信端末であって、
前記記憶部は、ユーザの年齢情報を記憶し、
前記モード設定部は、前記年齢情報に基づいて自動的にモードを設定することを特徴とする通信端末。
【請求項１０】
少なくとも１つの辞書を記憶し、外部の検索サーバと通信可能な通信端末による検索方法であって、
設定されたモードが、第１モード又は第２モードであるかを判定するステップと、
１又は複数の文字列を含む検索クエリによる検索要求を受け付けるステップと、
前記第１モードに設定されていると判定した場合、受け付けた前記検索クエリの前記検索サーバへの送信を禁止し、前記辞書から前記検索クエリに対応する１又は複数の情報を検索結果として抽出するステップと、
前記第２モードに設定されていると判定した場合、受け付けた前記検索クエリを前記検索サーバに送信し、送信した前記検索クエリに基づいた検索結果を前記検索サーバから受信するステップと、
を有することを特徴とする通信端末による検索方法。
【発明の詳細な説明】
【技術分野】
【０００１】
本発明は、通信端末、及び通信端末による検索方法に関する。
【背景技術】
【０００２】
従来、いわゆる有害サイト（Ｗｅｂページ）へのアクセスを制限する技術として、情報提供サーバから提供される情報に該提供する情報の有害性に応じた特定のコードを書き込むことで、情報受け手（例えば、携帯電話機）側のフィルタリングソフトによりコードに応じた通信制限を行う技術が知られている。
【０００３】
しかし、この場合には、情報提供側の自主性に依存するという問題や、普及率を高くすることが困難であるという問題があった。
【０００４】
これに対し、インターネット上のサイトに対するアクセスを親権者が登録したブックマークにのみ限定する通信端末が提案されている（例えば、特許文献１参照）。
【０００５】
また、子機が親機を介してのみサイトにアクセスできるようにすると共に、親機側でサイトからの情報を制限（カット）して子機に送信する方法が提案されている（例えば、特許文献２参照）。
【先行技術文献】
【特許文献】
【０００６】
【特許文献１】特開２００８−１１８６６８号公報
【特許文献２】特開２００３−２７１５５２号公報
【発明の概要】
【発明が解決しようとする課題】
【０００７】
しかし、特許文献１の通信端末は、通信端末の利用者がアクセスできるサイトを親権者がブックマーク登録したサイトのみに限定して有害サイトへのアクセスを抑制できるが、通信端末利用者（例えば、子供）の検索等における意思や目的が反映されないという問題があった。
【０００８】
また、特許文献２の方法は、親機側でサイトからの情報を制限（カット）して子機に送信することで有害サイトからの情報が閲覧することを抑制できるが、子機がサイトに情報送信を要求するごとに親機が情報内容を確認して所定情報の送信を制限（カット）する必要があるという問題があった。
【０００９】
本発明は、所定モードに設定されている場合、検索クエリに対応する情報を記憶部に記憶された辞書から抽出処理することで、検索サーバによる検索を抑制することが可能な通信端末を提供することを目的とする。
【課題を解決するための手段】
【００１０】
上記課題を解決するために、本発明の通信端末は、第１モード又は第２モードに設定可能なモード設定部と、少なくとも１つの辞書を記憶する記憶部と、１又は複数の文字列を含む検索クエリによる検索要求を受け付ける検索要求受付部と、前記検索要求受付部の検索要求受付に応じて、前記検索クエリを外部の検索サーバに送信すると共に前記検索サーバからの検索結果を受信する通信部と、前記モード設定部により設定されたモードを判定するモード判定部と、前記モード判定部により前記第１モードに設定されていると判定された場合、受け付けた前記検索クエリの前記通信部による送信を禁止し、前記記憶部に記憶される辞書から前記検索クエリに対応する１又は複数の情報を検索結果として抽出処理し、前記モード判定部により前記第２モードに設定されていると判定された場合、前記通信部に前記検索クエリを前記検索サーバに送信させる検索実行部と、を備えることを特徴とする。
【００１１】
また、かかる通信端末であって、前記辞書から抽出された検索結果の内容、又は、前記検索サーバからの検索結果の内容を表示する表示部を備えることが望ましい。
【００１２】
また、かかる通信端末であって、前記表示部は、前記辞書から抽出された検索結果の内容を表示する場合、前記辞書から抽出された１又は複数の情報にアクセス可能なリンク情報をリスト表示することが望ましい。
【００１３】
また、かかる通信端末であって、前記検索実行部は、前記辞書から前記検索クエリに対応する１又は複数の情報を検索結果として抽出処理した後、前記検索要求受付部により、同じ検索クエリ、又は、同じ検索クエリを構成する文字列を検索クエリとした検索要求が受け付けられた場合、前記モード判定部により前記第１モードであると判定されていても前記通信部に前記同じ検索クエリ又は前記同じ検索クエリを構成する文字列を内容とする検索クエリを前記検索サーバに送信させることが望ましい。
【００１４】
また、かかる通信端末であって、前記検索実行部は、前記辞書から前記１又は複数の情報を抽出できた場合、前記通信部に前記同じ検索クエリ又は前記同じ検索クエリを構成する文字列を内容とする検索クエリを前記検索サーバに送信させ、前記辞書に検索クエリに対応する情報がなく、前記１又は複数の情報を抽出できなかった場合、前記通信部に前記同じ検索クエリ又は前記同じ検索クエリを構成する文字列を内容とする検索クエリを前記検索サーバに送信させないことが望ましい。
【００１５】
また、かかる通信端末であって、前記検索クエリを構成する１又は複数の第１文字列を入力可能な入力部を備え、前記記憶部は、１又は複数の第２文字列を記憶し、前記第１モードに設定されていると判定された場合、前記入力部により入力された１又は複数の第１文字列に、前記記憶部に記憶される１又は複数の第２文字列を付加した内容の検索クエリを生成するクエリ生成部を備え、前記検索実行部は、前記クエリ生成部が生成した検索クエリを前記検索サーバに送信させることが望ましい。
【００１６】
また、かかる通信端末であって、前記第１モードに設定されていると判定された場合、複数の検索カテゴリの中からいずれかを選択可能な検索カテゴリ選択部を備え、前記記憶部は、前記１又は複数の第２文字列を検索カテゴリごとに分類して記憶し、前記クエリ生成部は、前記第１モードに設定されていると判定された場合、前記入力部により入力された１又は複数の第１文字列に、前記検索カテゴリ選択部により選択された所定の検索カテゴリに分類される１又は複数の第２文字列を付加した内容の検索クエリを生成することが望ましい。
【００１７】
また、かかる通信端末であって、前記第１モードは、子供モードであり、前記第２モードは、大人モードであることが望ましい。
【００１８】
また、かかる通信端末であって、前記記憶部は、ユーザの年齢情報を記憶し、前記モード設定部は、前記年齢情報に基づいて自動的にモードを設定することが望ましい。
【００１９】
また、少なくとも１つの辞書を記憶し、外部の検索サーバと通信可能な通信端末による検索方法であって、設定されたモードが、第１モード又は第２モードであるかを判定するステップと、１又は複数の文字列を含む検索クエリによる検索要求を受け付けるステップと、前記第１モードに設定されていると判定した場合、受け付けた前記検索クエリの前記検索サーバへの送信を禁止し、前記辞書から前記検索クエリに対応する１又は複数の情報を検索結果として抽出するステップと、前記第２モードに設定されていると判定した場合、受け付けた前記検索クエリを前記検索サーバに送信し、送信した前記検索クエリに基づいて前記検索サーバからの検索結果を受信するステップと、を有することを特徴とする通信端末による検索方法。
【発明の効果】
【００２０】
本発明によれば、所定モードに設定されている場合、検索クエリに対応する情報を記憶部に記憶された辞書から抽出処理することで、検索サーバによる検索を抑制することが可能な通信端末を提供することができる。
【図面の簡単な説明】
【００２１】
【図１】第１実施形態に係る携帯電話機１を含む検索システムＳの概要を説明する図である。
【図２】第１実施形態に係る携帯電話機１を開いた状態における外観斜視図を示す。
【図３】第１実施形態に係る携帯電話機１における回路構成を説明するブロック図である。
【図４】第１実施形態に係る携帯電話機１における機能部の構成を説明するブロック図である。
【図５】第１実施形態に係る検索画面２０１Ａを示す図である。
【図６】第１実施形態に係る第１検索結果画面２０１Ｂを示す図である。
【図７】第１実施形態に係る第２検索結果画面２０１Ｃを示す図である。
【図８】第１実施形態に係る携帯電話機１の動作を説明するフロー図である。
【図９】第２実施形態に係る携帯電話機１における機能部の構成を説明するブロック図である。
【図１０】第２実施形態に係る第２文字列記憶部１４１に記憶される検索カテゴリ分類テーブル５００である。
【図１１】第２実施形態に係る検索画面が表示された場合における表示部２１を示す図である。
【図１２】第２実施形態に係る携帯電話機１の動作を説明するフロー図である。
【発明を実施するための形態】
【００２２】
＜＜＜第１実施形態＞＞＞
まず、本発明の第１実施形態について説明する。
【００２３】
＜検索システムＳの概要＞
図１は、通信端末としての携帯電話機１を含む検索システムＳの概要を説明する図である。図１に示すように、検索システムＳは、検索サーバＰと、情報提供サーバＱと、通信網Ｎと、通信網Ｎを構成する基地局Ｋと、携帯電話機１と、を含んで構成される。
【００２４】
検索サーバＰは、所定の検索エンジンを有し、又は、所定の検索エンジンを構成する。検索サーバＰは、通信網Ｎを介して携帯電話機１と通信可能に接続される。検索サーバＰは、通信網Ｎを介して携帯電話機１から所定の検索クエリ（検索キーワード、検索式）を受信すると共に、受信した検索クエリに基づいて検索した検索結果情報を通信網Ｎを介して携帯電話機１に送信する。
【００２５】
情報提供サーバＱは、通信網Ｎを介して携帯電話機１に情報を提供する。具体的には、情報提供サーバＱは、携帯電話機１からの取得要求に応じて、通信網Ｎを介して携帯電話機１に所定のＷｅｂサイトやＷｅｂページの情報を提供する。通信網Ｎは、図１における基地局Ｋを含む複数の基地局Ｋ（不図示）を有して構成される。
【００２６】
携帯電話機１は、通信網Ｎを介して検索サーバＰや情報提供サーバＱにアクセス可能に構成される。具体的には、携帯電話機１は、通信網Ｎを介して検索サーバＰに所定の検索クエリを送信可能であると共に、検索サーバＰからの検索結果情報を受信可能に構成される。また、携帯電話機１は、検索サーバＰから受信した検索結果情報に基づいて、所定の情報提供サーバＱにアクセスすると共に、所定のＷｅｂページにおける情報等を受信可能に構成される。
【００２７】
また、携帯電話機１は、第１モードとしての子供モードと、第２モードとしての大人モード（通常モード）を選択可能に構成される。子供モードが選択されている場合、携帯電話機１は、所定の機能が制限されると共に、入力された文字列を内容とする検索クエリを検索サーバＰに送信するのではなく、後述する該携帯電話機１のメモリ４４に記憶される辞書としての第１辞書１２１及び第２辞書１２２から検索クエリ又は検索クエリを構成する文字列に関連する情報を抽出処理するよう構成される。携帯電話機１における構成については、以下に詳述する。
【００２８】
＜携帯電話機１の外観構成＞
図２は、携帯電話機１を開いた状態における外観斜視図を示す。
【００２９】
図２に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００３０】
操作部側筐体２は、外面がフロントケース２ａとリアケース２ｂとにより構成される。操作部側筐体２は、フロントケース２ａ側において、入力手段としての操作キー群１１と、携帯電話機１の使用者が通話時に発した音声が入力されるマイク１２とがそれぞれ露出するように構成される。
【００３１】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モードや起動されているアプリケーション等の種類に応じて所定の機能が割り当てられる（キー・アサイン）。そして、使用者が各キーを押圧することにより、各キーに割り当てられている機能に応じた動作が実行される。
【００３２】
マイク１２は、操作部側筐体２の長手方向における連結部４側と反対の外端部側に配置される。つまり、マイク１２は、携帯電話機１が開状態において一方の外端部側に配置される。
【００３３】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００３４】
表示部側筐体３は、外面がフロントケース３ａと、リアケース３ｄとにより構成される。表示部側筐体３におけるフロントケース３ｂには、各種情報を表示するための表示部２１と、通話の相手側の音声を出力するレシーバとしてのスピーカ２２と、が露出するように配置される。ここで、表示部２１は、液晶パネルと、この液晶パネルを駆動する駆動回路と、この液晶パネルの背面側から光を照射するバックライト等の光源部とから構成される。
【００３５】
＜携帯電話機１の回路構成＞
図３は、携帯電話機１における回路構成を説明するブロック図である。図３に示すように、携帯電話機１は、操作部側筐体２に配置される無線通信部２００と、入力部としての操作部１０１と、マイク１２と、ＬＣＤ制御部４２と、音声処理部４３と、記憶部としてのメモリ４４と、ＣＰＵ４５と、電源部４６と、制御ＩＣ４７と、表示部側筐体３に配置される表示部２１と、スピーカ２２と、ドライバＩＣ２５とを備える。
【００３６】
無線通信部２００は、所定の使用周波数帯により外部装置と通信を行うアンテナ部９０と、変調処理又は復調処理等の信号処理を行う通信処理部２０１と、を備える。
【００３７】
アンテナ部９０は、所定の使用周波数帯（例えば、８００ＭＨｚ）で基地局Ｋと通信を行う。アンテナ部９０は、所定の使用周波数帯で基地局Ｋを含む通信網Ｎを介して検索サーバＰや情報提供サーバＱと通信を行う。詳細には、アンテナ部９０は、変調処理された検索クエリの情報を含む信号を通信網Ｎを介して検索サーバＰに送信すると共に、検索結果の情報を含む信号を受信する。また、アンテナ部９０は、変調処理された受信要求の情報を含む信号を通信網Ｎを介して情報提供サーバＱに送信すると共に、提供されたＷｅｂページの情報を含む信号を受信する。なお、本実施形態では、所定の使用周波数帯として、８００ＭＨｚとしたが、他の周波数帯であってもよい。また、アンテナ部９０は、所定の使用周波数帯（第１の使用周波数帯）のほかに、第２の使用周波数帯（例えば、２ＧＨｚ）に対応できる、いわゆるデュアルバンド対応型による構成であってもよいし、更に、第３の使用周波数帯にも対応できる複数バンド対応型により構成されていてもよい。
【００３８】
通信処理部２０１は、所定の機能部から供給された信号を変調処理しアンテナ部９０を介して基地局Ｋに送信すると共に、アンテナ部９０により受信された信号を復調処理し所定の機能部に供給する。詳細には、通信処理部２０１は、ＣＰＵ４５等から供給された検索クエリの情報を含む信号を変調処理しアンテナ部９０を介して基地局Ｋに送信すると共に、アンテナ部９０により受信された検索サーバＰからの検索結果情報を含む信号を復調処理しＣＰＵ４５等に供給する。また、通信処理部２０１は、ＣＰＵ４５等から供給された受信要求の情報を含む信号を変調処理しアンテナ部９０を介して基地局Ｋに送信すると共に、アンテナ部９０により受信された情報提供サーバＱからのＷｅｂページの情報を含む信号を復調処理しＣＰＵ４５等に供給する。
【００３９】
操作部１０１は、操作キー群１１を含んで構成される。操作部１０１は、検索クエリを構成する文字列を入力可能に構成される。ここで、検索クエリを構成する文字列は、１又は複数の記号、数字、英字、ひらがな、カタカナ、漢字や外国語を構成する文字等により構成される。また、操作部１０１は、検索クエリを構成する文字列だけでなく、検索条件に関する記号（ａｎｄやｏｒ）を入力可能に構成される。ここで、本実施形態においては、間隔を空けて複数の文字列が列記された検索クエリは、全ての文字列を含む情報の検索を要求するための検索クエリである。
【００４０】
ＬＣＤ制御部４２は、ＣＰＵ４５の制御にしたがって、入力された画像データに対して所定の画像処理を行うと共に、画像処理された画像データをドライバＩＣ２５に出力する。ドライバＩＣ２５は、ＬＣＤ制御部４２から入力された画像データをフレームメモリに蓄えると共に、該フレームメモリに蓄えられた画像データを所定のタイミングで表示部２１に出力する。
【００４１】
表示部２１は、ドライバＩＣ２５から入力されたデータに基づいて、所定の文字や画像を表示する。表示部２１は、検索画面２１Ａ（図５参照）や、第１検索結果画面２１Ｂ（図６参照）や、第２検索結果画面２１Ｃ（図７参照）を表示可能に構成される。検索画面２１Ａや、第１検索結果画面２１Ｂや、第２検索結果画面２１Ｃ（図７参照）については、後に詳述する。
【００４２】
メモリ４４は、所定のデータを記憶する。具体的には、メモリ４４は、各種機能を動作させるアプリケーションプログラムや、年齢情報を含むプロフィール情報や、第１辞書１２１や、第２辞書１２２を有する（図４参照）。第１辞書１２１及び第２辞書１２２については、後に詳述する。
【００４３】
ＣＰＵ４５は、携帯電話機１の全体を制御する。ＣＰＵ４５は、特に、無線通信部２００と、ＬＣＤ制御部４２と、音声処理部４３に対して所定の制御を行う。また、ＣＰＵ４５は、後述する機能部としてのモード設定部１０５と、モード判定部１０６と、検索要求受付部１０７と、検索実行部１０８と、Ｗｅｂ情報取得部１０９とを有する。ＣＰＵ４５における機能部については、後に詳述する。
【００４４】
音声処理部４３は、ＣＰＵ４５の制御にしたがって、通信処理部２０１から供給された信号に対して所定の音声処理を行うと共に、音声処理された信号をスピーカ２２に出力する。スピーカ２２は、音声処理部４３から供給された信号に基づいて外部に放音（出力）する。また、音声処理部４３は、ＣＰＵ４５の制御にしたがって、マイク１２から入力された信号に対して所定の処理をすると共に、処理された信号を通信処理部２０１に出力する。通信処理部２０１は、音声処理部４３から入力された信号に所定の処理を行うと共に、処理がされた信号をアンテナ部９０に出力する。
【００４５】
電源部４６は、バッテリ８０を有して構成される。バッテリ８０は、所定容量を有するリチウムイオン電池である。制御ＩＣ４７は、電源部４６から供給される電源電圧を所定の電源電圧に変換し、変換後の電源電圧を携帯電話機１における各部（例えば、ＣＰＵ４５等）に供給する。
【００４６】
＜携帯電話機１における機能部の構成＞
図４は、携帯電話機１における機能部の構成を説明するブロック図である。図５は、検索画面２０１Ａを示す図である。図６は、第１検索結果画面２０１Ｂを示す図である。図７は、第２検索結果画面２０１Ｃを示す図である。
【００４７】
図４に示すように、携帯電話機１は、通信部としての無線通信部２００と、操作部１０１と、ＣＰＵ４５に含まれる機能部としてのモード設定部１０５と、モード判定部１０６と、検索要求受付部１０７と、検索実行部１０８と、Ｗｅｂ情報取得部１０９と、メモリ４４に含まれる第１辞書１２１と、第２辞書１２２と、表示部２１と、を備える。
【００４８】
メモリ４４は、第１辞書１２１と、第２辞書１２２とを有する。第１辞書１２１及び第２辞書１２２それぞれは、携帯電話機１の管理者（例えば、親）が所定のパスワードを入力して利用を承認した辞書データである。第１辞書１２１及び第２辞書１２２それぞれは、初期設定として携帯電話機１にインストールされているものであってもよく、インターネット等を通じて外部からダウンロードされたものであってもよい。ここで、管理者は、外部からダウンロードする際に所定のパスワードを入力して承認してもよい。
【００４９】
第１辞書１２１及び第２辞書１２２それぞれは、一般的な用語辞書に限らず、人名や、地名の辞書や、画像情報を含む図鑑や、いわゆる百貨辞典等のデータであってもよい。
【００５０】
モード設定部１０５は、携帯電話機１におけるモードを、第１モードとしての子供モード、又は、第２モードとしての大人モード（通常モード）に設定することができる。モード設定部１０５は、子供モード又は大人モードに設定することができればよく、２つのモードから一方を選択する手順を必要とするものではない。例えば、モード設定部１０５は、一方のモードが設定された状態において、他方のモードに切り替える手段を有すればよい。本実施形態においては、初期設定が大人モード（通常モード）であり、モード設定部１０５は、子供モードへ切り替える手段を提供する。
【００５１】
モード設定部１０５は、自動設定状態にすることができる。自動設定状態である場合、モード設定部１０５は、メモリ４４に記憶される年齢情報に基づいて、自動的にモードを設定する（切り替える）ことができる。
【００５２】
モード設定部１０５が手動設定状態である場合、モードを切り替えるためには、所定のパスワードの入力が必要となるようにしてもよい。また、モード設定部１０５が自動設定状態となる場合を想定し、年齢情報を変更するためには、所定のパスワードの入力が必要となるようにしてもよい。これにより、管理者（モード設定者）の意に反するモード変更を抑制できる。
【００５３】
モード判定部１０６は、モード設定部１０５により設定されたモードが子供モードであるか大人モードであるかを判定する。モード判定部１０６により判定されたモードに応じて、所定の機能が制限される。また、モード判定部１０６により判定されたモードに応じて、検索実行部１０８の動作が異なるように構成される。
【００５４】
検索要求受付部１０７は、操作部１０１により入力された文字列を内容とする検索クエリによる検索要求を受け付ける。具体的には、入力ボックス４０１にカーソルを指定して文字列を入力した後、カーソル４０３を検索ボタン４０２に合わせて所定操作により選択することで、検索要求受付部１０７は、入力ボックス４０１に入力された文字列を内容とする検索クエリによる検索要求を受け付ける（図５参照）。
【００５５】
検索実行部１０８は、無線通信部２００に検索クエリを検索サーバＰ（図１参照）に送信させることが可能であると共に、メモリ４４に記憶された第１辞書１２１及び第２辞書から対応する情報を抽出処理することが可能に構成される。具体的には、モード判定部１０６によりモード設定部１０５によって大人モードに設定されていると判定された場合、検索実行部１０８は、無線通信部２００に検索クエリを検索サーバＰへ送信させる。そして、モード判定部１０６によりモード設定部１０５によって子供モードに設定されていると判定された場合、検索実行部１０８は、無線通信部２００に検索クエリを検索サーバＰへ送信させず、メモリ４４に記憶された第１辞書１２１及び第２辞書１２２から検索クエリに対応する情報を抽出処理する。
【００５６】
また、検索実行部１０８は、子供モードにおいて、第１辞書１２１及び第２辞書１２２から検索クエリに対応する情報を抽出処理した後、検索要求受付部１０７により、同じ検索クエリ、又は、同じ検索クエリを構成する文字列を検索クエリとした検索要求が受け付けられた場合、無線通信部２００に検索クエリを検索サーバＰへ送信させるよう構成できる。
【００５７】
具体的には、検索実行部１０８は、第１辞書１２１及び第２辞書１２２から１又は複数の情報を抽出できた場合、無線通信部２００に同じ検索クエリ又は同じ検索クエリを構成する文字列を内容とする検索クエリを検索サーバＰに送信させ、第１辞書１２１及び第２辞書１２２に検索クエリに対応する情報がなく、１又は複数の情報を抽出できなかった場合、無線通信部２００に同じ検索クエリ又は同じ検索クエリを構成する文字列を内容とする検索クエリを検索サーバＰに送信させないよう構成できる。つまり、原則、子供モードに設定されている場合、検索サーバＰに検索クエリを送信した外部検索は行わないが、管理者が許可した第１辞書１２１及び第２辞書１２２から検索クエリ等に対応する情報が抽出できた場合、外部検索を許可するように構成してもよい。
【００５８】
大人モードにおいて、無線通信部２００を介して受信された検索サーバＰからの検索結果は、メモリ４４に保存されると共に、後述する表示部２１によりリンク情報がリスト表示される（図７参照）。子供モードにおいて、第１辞書１２１及び第２辞書１２２から１又は複数の情報が抽出された場合、１又は複数の情報は検索結果として表示部２１にリスト表示される（図６参照）。この場合、上述の通り、続けて同じ検索クエリ等による詳細検索（外部検索）を行うことができる。この詳細検索（外部検索）における検索結果は、大人モードにおける検索結果と同様の態様で表示される（図７参照）。また、子供モードにおいて、第１辞書１２１及び第２辞書１２２から情報が抽出されなかった場合、表示部２１に該当する情報がない旨の表示がなされる。
【００５９】
Ｗｅｂ情報取得部１０９は、無線通信部２００を介して情報提供サーバＱに所定の情報を要求すると共に、無線通信部２００を介して情報提供サーバＱからの情報を取得する。そして、Ｗｅｂ情報取得部１０９は、取得したＷｅｂ情報を所定の表示態様で表示部２１に表示させる。
【００６０】
表示部２１は、検索サーバＰからの検索結果や、第１辞書１２１及び第２辞書１２２から抽出された情報等の検索結果や、情報提供サーバＱから提供されたＷｅｂページや、第１辞書１２１及び第２辞書１２２に含まれる抽出情報の内容を表示可能に構成される。また、表示部２１は、検索画面２１Ａ（図５参照）や、第１検索結果画面２１Ｂ（図６参照）や、第２検索結果画面２１Ｃ（図７参照）を表示可能に構成される。
【００６１】
図５に示すように、検索画面２１Ａは、入力ボックス４０１と、検索ボタン４０２とを含む。入力ボックス４０１は、検索クエリを作成するために操作部１０１により入力された文字列を表示する。検索ボタン４０２は、入力ボックス４０１に表示された文字列を内容とする検索クエリによる検索を指示可能に構成される。具体的には、検索ボタン４０２に重なるようにカーソル４０３を移動すると共に操作部１０１において所定の操作（表示部２１においては押下）をすることで、検索要求受付部１０７に対して検索を受け付けるよう指示がなされる。検索要求受付部１０７により検索要求が受け付けられることで、検索実行部１０８は、無線通信部２００に検索クエリを検索サーバＰに送信させるか、第１辞書１２１及び第２辞書１２２から検索クエリに対応する情報を抽出処理する。ここで、検索ボタン４０２は、大人モード及び子供モードの双方における（初期）検索画面である。
【００６２】
図６に示すように、第１検索結果画面２１Ｂは、子供モードにおける第１辞書１２１及び第２辞書１２２から抽出された情報のリンク情報をリスト表示する。具体的には、第１検索結果画面２１Ｂは、第１辞書１２１及び第２辞書１２２から抽出された情報のリンク情報４１１、４１２、４１３をリスト表示する。ここで、リンク情報４１１、４１２、４１３に重なるようにカーソル４０３を移動すると共に操作部１０１において所定の操作（表示部２１においては押下）をすることで、表示部２１には、抽出された情報であるリンク元情報の内容が表示される。
【００６３】
また、第１検索結果画面２１Ｂは、詳細検索ボタン４２０を更に含む。詳細検索ボタン４２０は、子供モードにおいて、第１辞書１２１及び第２辞書１２２から情報が抽出された場合、更に同じ検索クエリ又は同じ検索クエリを構成する文字列を検索クエリとした外部検索を要求（検索サーバＰへの検索要求）するためのボタンである。ここで、詳細検索ボタン４２０に重なるようにカーソル４０３を移動すると共に操作部１０１において所定の操作（表示部２１においては押下）をすることで、検索要求受付部１０７に対して検索を受け付けるよう指示がなされる。そして、検索要求受付部１０７により検索要求が受け付けられることで、検索実行部１０８は、無線通信部２００に検索クエリを検索サーバＰに送信させる。ここで、詳細検索ボタン４２０は、第１辞書１２１及び第２辞書１２２から情報が抽出された場合だけ表示されるようにしてもよい。
【００６４】
図７に示すように、第２検索結果画面２１Ｃは、大人モード及び子供モードにおける詳細検索（外部検索）の結果を表示する。具体的には、第２検索結果画面２１Ｃは、検索サーバＰから受信した検索結果情報を表示する。第２検索結果画面２１Ｃは、リンク情報４３１、４３２、４３３をリスト表示する。ここで、リンク情報４３１、４３２、４３３に重なるようにカーソル４０３を移動すると共に操作部１０１において所定の操作（表示部２１においては押下）をすることで、Ｗｅｂ情報取得部１０９は、リンク情報に基づいて所定の情報提供サーバＱに対して情報の出力を要求すると共に、出力された情報を取得する。そして、Ｗｅｂ情報取得部１０９により取得された情報は、表示部２１に表示される。ここで、第２検索結果画面２１Ｃは、大人モード及び子供モードにおける詳細検索の結果を表示する画面である。
【００６５】
操作部１０１は、上述の通り、検索クエリを構成する文字列を入力可能に構成される。また、操作部１０１は、表示部２１に表示されたカーソル４０３を移動可能に構成される。ユーザは、表示部２１における入力ボックス４０１を見ながら操作部１０１により文字列を入力することができる（図６参照）。また、ユーザは、表示部２１における入力ボックス４０１の内容を見ながら検索ボタン４０２により検索を実行（要求）することができる（図６参照）。また、ユーザは、表示部２１における検索結果を見ながら更に詳細な検索が必要であるかを検討すると共に、詳細な検索が必要である場合には連続して詳細検索を実行（要求）することができる（図７参照）。
【００６６】
＜検索時の携帯電話機１の動作＞
図８は、携帯電話機１の動作を説明するフロー図である。図８に示すように、まず、ユーザは、操作部１０１における所定の操作により、表示部２１に検索画面を表示させる（ＳＴ１）。表示部２１に検索画面が表示される際、モード判定部１０６は、モード設定部１０５により設定されたモードを判定する（ＳＴ２）。モード判定部１０６により子供モードに設定されていると判定された場合（ＳＴ３、ＹＥＳ）、表示部２１には、図５に示す検索画面２１Ａが表示される。
【００６７】
ユーザは、カーソル４０３を入力ボックス４０１に合わせて文字入力が可能な状態にすると共に、入力ボックス４０１を見ながら検索クエリを構成する文字列を入力する（ＳＴ４）。続けて、ユーザは、検索を要求するため、カーソル４０３を検索ボタン４０２に合わせて操作部１０１により所定の操作を行う。これにより、検索要求受付部１０７は、入力ボックス４０１に表示された文字列を内容とする検索クエリによる最初の検索要求を受け付ける（ＳＴ５）。
【００６８】
検索要求受付部１０７により検索要求が受け付けられた場合、検索実行部１０８は、第１辞書１２１及び第２辞書１２２から対応する情報を抽出処理する（ＳＴ６）。その結果、図６に示すように、抽出された情報のリンク情報は、表示部２１にリスト表示される（ＳＴ７）。ここで、第１辞書１２１及び第２辞書１２２に対応する情報が存在しない等の理由で検索実行部１０８により情報が抽出されなかった場合、表示部２１には、その旨を示す表示がなされる。
【００６９】
更に、図６に示す第１検索結果画面２１Ｂを見ながら、ユーザがカーソル４０３を詳細検索ボタン４２０に合わせて操作部１０１により所定の操作を行う。これにより、検索要求受付部１０７は、入力ボックス４０１に表示された文字列を内容とする検索クエリによる詳細な検索要求を受け付ける（ＳＴ８）。
【００７０】
詳細な検索要求における検索クエリが最初の検索要求における検索クエリと同じである場合（ＳＴ９、ＹＥＳ）、ステップＳＴ１０に進む。そして、詳細な検索要求における検索クエリが最初の検索要求における検索クエリと異なる場合（ＳＴ９、ＮＯ）、ステップＳＴ６に戻り、検索実行部１０８は、異なる検索クエリに基づいて第１辞書１２１及び第２辞書１２２から所定の情報を抽出処理する。
【００７１】
ステップＳＴ１０において、最初の検索により第１辞書１２１及び第２辞書１２２から所定の情報が抽出された場合（ＳＴ１０、ＹＥＳ）、検索実行部１０８は、無線通信部２００に前記同じ検索クエリを検索サーバＰへ送信させる（ＳＴ１１）。検索サーバＰからの検索結果は、図７に示すように、表示部２１にリスト表示される（ＳＴ１２）。
【００７２】
また、ステップＳＴ１０において、最初の検索により第１辞書１２１及び第２辞書１２２から所定の情報が抽出されない場合（ＳＴ１０、ＮＯ）、検索実行部１０８は、無線通信部２００に前記同じ検索クエリを検索サーバＰに送信させず、処理を終了させる。これにより、子供モードにおいて、管理者が利用を許可した辞書に含まれない情報を外部検索させることを抑制できる。
【００７３】
また、ステップＳＴ３において、モード判定部１０６により子供モードに設定されていないと判定された場合（ＳＴ３、ＮＯ）、表示部２１には、子供モードであると判定された場合と同様に、図５に示す検索画面２１Ａが表示される。ここで、子供モードに設定されていないと判定される場合とは、モード判定部１０６により大人モード（通常モード）であると判定された場合である。
【００７４】
ユーザは、カーソル４０３を入力ボックス４０１に合わせて文字入力が可能な状態にすると共に、入力ボックスを見ながら検索クエリを構成する文字列を入力する（ＳＴ１３）。
【００７５】
続けて、ユーザは、検索を要求するため、カーソル４０３を検索ボタン４０２に合わせて操作部１０１により所定の操作を行う。これにより、検索要求受付部１０７は、入力ボックス４０１に表示された文字列を内容とする検索クエリによる外部検索要求を受け付ける（ＳＴ１４）。
【００７６】
これにより、検索実行部１０８は、無線通信部２００に検索クエリを検索サーバＰへ送信させる（ＳＴ１１）。検索サーバＰからの検索結果は、図７に示すように、表示部２１にリスト表示される（ＳＴ１２）。
【００７７】
＜本実施形態における有効性＞
本実施形態によれば、子供モードに設定されている場合、検索実行部１０８は、携帯電話機１の内部に格納される第１辞書１２１及び第２辞書１２２から検索クエリに対応する情報を抽出処理するよう構成されるので、ユーザである子供が外部の検索サーバＰに勝手にアクセスすることを抑制できる。これにより、有害なＷｅｂサイトへのアクセスを回避可能な携帯電話機１を提供することができる。
【００７８】
また、本実施形態によれば、子供モードに設定されている場合であっても大人モード（通常モード）における検索と同様の操作により検索要求をし、同様の検索結果画面により検索結果が表示される。これにより、携帯電話機１は、子供モードにおいて検索サーバＰによる外部検索をしているように見せかけながら内部の第１辞書１２１及び第２辞書１２２から検索クエリに対応する情報を抽出して検索結果を表示することができる。
【００７９】
また、本実施形態によれば、内部検索で利用される第１辞書１２１及び第２辞書１２２が管理者により利用を許可された辞書なので、表示される検索結果や抽出された情報は、管理者にとって安心できる内容となる。また、内部検索で利用される辞書を登録するには、所定のパスワードを入力する必要であるので、表示される検索結果や抽出された情報は、より管理者にとって安心できる内容となる。また、管理者（保護者）は、子供が閲覧した情報を頻繁にチェックしなくても、子供が閲覧する情報の範囲を把握しておくことができる。
【００８０】
また、本実施形態によれば、子供モードに設定されている場合、検索実行部１０８は、最初の検索は携帯電話機１の内部に格納された第１辞書１２１及び第２辞書１２２から対応する情報を抽出処理するが、ユーザが子供である場合には辞書から抽出された情報（例えば、用語の説明等）で満足することが多いので、最初の検索で満足して検索を終了する場合が多い。つまり、ユーザである子供の検索要求を満足させると共に、外部のＷｅｂサイト等にアクセスすることが抑制された携帯電話機１を提供することができる。
【００８１】
また、本実施形態によれば、子供モードと大人モード（通常モード）とにおいて検索画面２１Ａが共通であると共に、検索結果画面２１Ｂ、２１Ｃもリスト表示であり同様の表示態様である。これにより、子供モードにおいても大人モード（通常モード）と同様の操作及び表示画面で検索作業を行うので、ユーザである子供から見て納得性が高い。
【００８２】
＜＜＜第２実施形態＞＞＞
第２実施形態に係る携帯電話機１の構成は、第１実施形態とほぼ同じであるが、機能部の構成が第１実施形態と異なる。また、検索時の携帯電話機１の動作も異なる。そこで、以下においては、第２実施形態に係る携帯電話機１の機能部の構成について説明した後に、検索時の携帯電話機１の動作について説明する。
【００８３】
＜携帯電話機１における機能部の構成＞
図９は、携帯電話機１における機能部の構成を説明するブロック図である。図１０は、第２文字列記憶部１４１に記憶される検索カテゴリ分類テーブル５００である。図１１は、検索画面が表示された場合における表示部２１を示す図である。
【００８４】
図９に示すように、携帯電話機１は、無線通信部２００と、操作部１０１と、ＣＰＵ４５に含まれる機能部としてのモード設定部１０５と、モード判定部１０６と、検索カテゴリ選択部１３７と、検索クエリ生成部１３８と、検索要求部１３９と、メモリ４４に含まれる機能部としての第２文字列記憶部１４１と、プロフィール情報記憶部１４２と、表示部２１と、を備える。
【００８５】
メモリ４４は、第２文字列記憶部１４１と、プロフィール情報記憶部１４２とを有する。第２文字列記憶部１４１は、子供モードに設定された場合に検索クエリの一部として付加される第２文字列を記憶する。詳細には、第２文字列記憶部１４１は、後述するモード判定部１０６により子供モードが設定されていると判定された場合に第１文字列に付加される第２文字列を１つ以上記憶する。更には、第２文字列記憶部１４１は、第１文字列に付加される複数の第２文字列を複数の検索カテゴリごとに分類して記憶する。
【００８６】
具体的には、図１０に示すように、第２文字列記憶部１４１は、検索カテゴリ分類テーブル５００を有する。検索カテゴリ分類テーブル５００は、検索カテゴリの内容を示す検索カテゴリ名欄５１０と、検索カテゴリに関連するキーワード１欄５２０と、キーワード２欄５４０と、キーワード３欄５６０と、各キーワード同士の検索条件を示す条件１欄５３０と、条件２欄５５０と、条件３欄５７０と、を含む。
【００８７】
ここで、キーワード１欄５２０と、キーワード２欄５４０と、キーワード３欄５６０とは、子供モードにおいて第１文字列に付加される第２文字列である。条件１欄５３０と、条件２欄５５０と、条件３欄５７０とは、上記の各キーワード（第２文字列）同士の検索条件である。ここで、「ａｎｄ」の及ぶ範囲が不明確である場合、他の記号等を用いて範囲を明確にすることができる。後述する検索クエリ生成部１３８は、検索カテゴリ分類テーブル５００を参照して、子供モードにおける検索クエリを生成する。
【００８８】
検索カテゴリ分類テーブル５００は、ユーザにより入力された第１文字列を検索クエリとして検索した場合における検索結果を所定のカテゴリ（検索目的や検索の方向性）に誘導するためのキーワード（第２文字列）及び検索条件を含む。
【００８９】
また、検索カテゴリ分類テーブル５００における検索カテゴリやキーワードを追加・変更・削除可能としてもよい。これにより、ユーザの年齢等に応じた検索カテゴリの設定や検索結果の誘導をすることができる。また、これにより、健全なＷｅｂサイトへのより精度のよい誘導が可能となる。
【００９０】
ここで、検索カテゴリ分類テーブル５００における検索カテゴリやキーワードを追加・変更・削除する場合、パスワードの入力を要求するように構成してもよい。これにより、ユーザが勝手に検索カテゴリやキーワードの内容を追加・変更・削除できないようにすることができる。例えば、ユーザである子供が管理者である親のパスワード入力という承認を得ることなく勝手に検索カテゴリやキーワードを追加・変更・削除できないように構成することができる。
【００９１】
プロフィール情報記憶部１４２は、ユーザの年齢情報を含むプロフィール情報を記憶する。プロフィール情報記憶部１４２に記憶される年齢情報は、後述するモード設定部１０５を自動設定状態にした場合に参照される。
【００９２】
モード設定部１０５は、携帯電話機１におけるモードを、第１モードとしての子供モード、又は、第２モードとしての大人モード（通常モード）に設定することができる。モード設定部１０５は、子供モード又は大人モードに設定することができればよく、２つのモードから一方を選択する手順を必要とするものではない。例えば、モード設定部１０５は、一方のモードが設定された状態において、他方のモードに切り替える手段を有すればよい。本実施形態においては、初期設定が大人モード（通常モード）であり、モード設定部１０５は、子供モードへ切り替える手段を提供する。
【００９３】
モード設定部１０５は、自動設定状態にすることができる。自動設定状態である場合、モード設定部１０５は、プロフィール情報記憶部１４２に記憶される年齢情報に基づいて、自動的にモードを設定する（切り替える）ことができる。
【００９４】
モード設定部１０５が手動設定状態である場合、モードを切り替えるためには、所定のパスワードの入力が必要となるようにしてもよい。また、モード設定部１０５が自動設定状態となる場合を想定し、プロフィール情報を変更するためには、所定のパスワードの入力が必要となるようにしてもよい。これにより、管理者（モード設定者）の意に反するモード変更を抑制できる。
【００９５】
モード判定部１０６は、モード設定部１０５により設定されたモードが子供モードであるかを判定する。モード判定部１０６により子供モードに設定されていると判定された場合、所定の機能が制限されると共に、操作部１０１により入力された第１文字列に第２文字列が付加された内容が検索クエリとして検索サーバＰ（図１参照）に送信される。
【００９６】
検索カテゴリ選択部１３７は、複数の検索カテゴリから所定の検索カテゴリを選択可能に構成される。検索カテゴリとは、例えば、検索目的や検索結果の方向性を規定するものである。検索カテゴリとして、例えば、図１０に示すように、学習、見学、体験学習、本、学校、歴史、人物を例示できる。また、図１０に示すように、複数の検索カテゴリそれぞれには、複数のキーワード（第２文字列）が対応付けられている。
【００９７】
ここで、モード判定部１０６により子供モードに設定されていると判定された場合に、操作部１０１により入力された第１文字列に付加される第２文字列は、選択された検索カテゴリに対応するキーワードである。例えば、検索カテゴリ選択部１３７により図１０に示す検索カテゴリ「学習」が選択された場合、第１文字列には、「学習」に対応付けられるキーワード「学習」「勉強」等の第２文字列が付加される。
【００９８】
また、検索カテゴリ選択部１３７は、複数の検索カテゴリを選択可能に構成される（図１１参照）。この場合、第１文字列には、各検索カテゴリそれぞれに対応付けられているキーワードが付加される。
【００９９】
また、検索カテゴリ選択部１３７は、子供モードの場合にのみ検索カテゴリを選択可能となるよう構成することができる。具体的には、子供モードの場合には、図１１に示す検索カテゴリ選択ボックス５０２が表示されるよう構成することができる。言い換えると大人モード（通常モード）の場合、検索カテゴリ選択部１３７は、検索カテゴリの選択ができないよう構成することができる。つまり、大人モード（通常モード）の場合には、図１１に示す検索カテゴリ選択ボックス５０２が表示されないように構成することができる。
【０１００】
また、検索カテゴリ選択部１３７によりいずれの検索カテゴリも選択されていない場合、後述する検索要求部１３９による検索要求ができないように構成することができる。ここで、子供モードに設定された場合、初期設定として、検索カテゴリ選択部１３７により所定の検索カテゴリが選択されるように構成してもよい。
【０１０１】
検索クエリ生成部１３８は、無線通信部２００を介して検索サーバ（図１参照）に送信する検索クエリを生成する。具体的には、モード判定部１０６により子供モードであると判定された場合、検索クエリ生成部１３８は、操作部１０１により入力された第１文字列に第２文字列記憶部１４１に記憶される複数の第２文字列を付加した内容の検索クエリを生成する。また、モード判定部１０６により大人モード（通常モード）であると判定された場合、検索クエリ生成部１３８は、操作部１０１により入力された第１文字列を内容とする検索クエリを生成する。
【０１０２】
検索クエリ生成部１３８は、子供モードにおいて、例えば、検索カテゴリとして「学習」が選択されている場合、第１文字列に対して「ａｎｄ（学習ｏｒ勉強ｏｒ・・・）」という内容を付加して検索クエリを生成する。また、検索クエリ生成部１３８は、子供モードにおいて、例えば、検索カテゴリとして「人物」が選択されている場合、第１文字列に対して「ａｎｄ（人物ｏｒ（人ａｎｄ者）・・・）」という内容を付加して検索クエリを生成する。
【０１０３】
また、図１１に示すように、検索カテゴリ選択部１３７により「学習」「本」「歴史」の３つの検索カテゴリが選択された場合、検索クエリ生成部１３８は、子供モードにおいて、第１文字列ａｎｄ（（学習ｏｒ勉強ｏｒ・・・）ｏｒ（本ｏｒ教科書ｏｒ図鑑ｏｒ・・・）ｏｒ（歴史ｏｒ創始者ｏｒ・・・））という内容の検索クエリを生成する。
【０１０４】
検索要求部１３９は、無線通信部２００に対し、検索クエリ生成部１３８により生成された検索クエリを含む検索要求を検索サーバＰに送信（出力）させる。検索要求部１３９は、検索カテゴリ選択部１３７によりいずいれの検索カテゴリも選択されていない場合、モード判定部１０６により判定されたモードに応じて、検索サーバＰへ検索要求をするか否かを決定する。具体的には、検索カテゴリ選択部１３７によりいずいれの検索カテゴリも選択されていない場合、検索要求部１３９は、モード判定部１０６により子供モードであると判定されると無線通信部２００に検索サーバＰへの検索要求を出力させず、モード判定部１０６により大人モード（通常モード）であると判定されると無線通信部２００に検索サーバＰへの検索要求を出力させる。
【０１０５】
表示部２１は、検索画面や、検索サーバＰからの検索結果や、情報提供サーバＱから提供されたＷｅｂページを表示可能に構成される。例えば、表示部２１は、図１１に示すように、入力ボックス５０１と、検索カテゴリ選択ボックス５０２とが表示された検索画面を表示可能に構成される。入力ボックス５０１は、操作部１０１により入力された第１文字列を表示する。また、検索カテゴリ選択ボックス５０２は、チェックボックス５０５と、検索カテゴリの名称が表示される。検索カテゴリ選択ボックス５０２に表示される検索カテゴリの名称は、図１０における検索カテゴリ名欄５１０に記載された名称と同様である。
【０１０６】
操作部１０１は、検索クエリを構成する第１文字列を入力可能に構成される。また、操作部１０１は、検索カテゴリを選択可能に構成される。ユーザは、表示部２１における入力ボックス５０１（図１１参照）を見ながら操作部１０１により第１文字列を入力することができる。また、ユーザは、表示部２１における検索カテゴリ選択ボックス５０２（図１１参照）を見ながら操作部１０１により検索カテゴリを選択することができる。
【０１０７】
＜検索時の携帯電話機１の動作＞
図１２は、携帯電話機１の動作を説明するフロー図である。図１２に示すように、まず、ユーザは、操作部１０１における所定の操作により、表示部２１に検索画面を表示させる（ＳＴ１０１）。表示部２１に検索画面が表示される際、モード判定部１０６は、モード設定部１０５により設定されたモードを判定する（ＳＴ１０２）。モード判定部１０６により子供モードに設定されていると判定された場合（ＳＴ１０３、ＹＥＳ）、表示部２１には、図１１に示す入力ボックス５０１と検索カテゴリ選択ボックス５０２とを含む検索画面が表示される。
【０１０８】
ユーザは、不図示のカーソルを入力ボックス５０１に合わせて文字入力が可能な状態にすると共に、入力ボックスを見ながら検索クエリを構成する第１文字列を入力する（ＳＴ１０４）。
【０１０９】
続けて、ユーザは、不図示のカーソルを検索カテゴリ選択ボックス５０２における所定のチェックボックス５０５に合わせて操作部１０１による所定の操作により該チェックボックスをチェックして（レ印を付けて）所定の検索カテゴリを選択する（ＳＴ１０５）。
【０１１０】
続けて、ユーザは、検索を要求するため、不図示のカーソルを検索ボタン部５０３に合わせて操作部１０１により所定の操作（選択を確定させる操作）を行う（ＳＴ１０６）。
【０１１１】
これにより、検索クエリ生成部１３８は、操作部１０１により入力された第１文字列に第２文字列記憶部１４１に記憶された第２文字列を付加した内容の検索クエリを生成する（ＳＴ１０７）。
【０１１２】
そして、検索要求部１３９は、検索クエリ生成部１３８で生成された検索クエリを検索サーバＰに送信すると共に、送信した検索クエリによる検索を要求する（ＳＴ１１１）。
【０１１３】
検索サーバＰは、検索クエリに基づいた検索を行うと共に、検索結果情報を携帯電話機１に送信する。携帯電話機１は、通信部２００を介して、検索結果情報を受信する（ＳＴ１１２）。ここで、検索サーバＰに送信された検索クエリには第２文字列が付加されており、受信する検索結果は、所定の検索カテゴリに誘導された内容となっている。つまり、検索結果は、検索カテゴリに誘導され、有害Ｗｅｂページ（サイト）が少ない内容になっている。
【０１１４】
ユーザは、表示部２１に検索結果を表示させる（ＳＴ１１３）。また、ユーザは、検索結果に基づいて、通信部２００を介して情報提供サーバＱに所定のＷｅｂページ情報を要求する。情報提供サーバＱは、要求されたＷｅｂページ情報を携帯電話機１に送信する。携帯電話機１は、通信部２００を介して、Ｗｅｂページ情報を受信（取得）する（ＳＴ１１４）。そして、ユーザは、表示部２１に取得した所定のＷｅｂページを表示させる（ＳＴ１１５）。
【０１１５】
また、モード判定部１０６により大人モード（通常モード）であると判定された場合（ＳＴ１０３、ＮＯ）、表示部２１には、入力ボックス５０１を含み検索カテゴリ選択ボックス５０２を含まない検索画面が表示される。
【０１１６】
ユーザは、不図示のカーソルを入力ボックス５０１に合わせて文字入力が可能な状態にすると共に、入力ボックスを見ながら検索クエリを構成する第１文字列を入力する（ＳＴ１０８）。
【０１１７】
続けて、ユーザは、検索を要求するため、不図示のカーソルを検索ボタン部５０３に合わせて操作部１０１により所定の操作（選択を確定させる操作）を行う（ＳＴ１０９）。
【０１１８】
これにより、検索クエリ生成部１３８は、操作部１０１により入力された第１文字列の内容の検索クエリを生成する（ＳＴ１１０）。つまり、モード判定部１０６により大人モード（通常モード）であると判定された場合、検索クエリは、ユーザにより入力された内容となる。
【０１１９】
＜本実施形態における有効性＞
本実施形態によれば、検索サーバＰに対して、入力された第１文字列に所定の第２文字列を付加した内容を検索クエリとして検索要求することで、健全なＷｅｂサイトへのアクセスを阻害することなく有害なＷｅｂサイトへのアクセスを回避可能な携帯電話機１を提供することができる。
【０１２０】
また、本実施形態によれば、ユーザにより入力された複数のキーワード（第１文字列）における所定のキーワードを除外した検索クエリにより検索を行うのではなく、所定のキーワード（第２文字列）を付加した内容の検索クエリにより検索を行う。これにより、ユーザの意向に沿った検索結果を得ることができると共に、含まれる有害サイトの件数が少ない検索結果を得ることができる。
【０１２１】
また、本実施形態によれば、所定の検索カテゴリ（検索目的）ごとに対応したキーワード（第２文字列）を有するので、精度よく検索結果を誘導することができる。
【０１２２】
また、本実施形態によれば、子供モードにおいて、所定の検索カテゴリが選択されていない場合には検索サーバＰに対し検索要求が送信されないように構成される。これにより、子供モードにおいて、大人モード（通常モード）用の検索がなさることを抑制できる。
【０１２３】
本実施形態によれば、検索カテゴリや、第２文字列記憶部１４１に記憶される第２文字列を追加・変更・削除する場合には、パスワードの入力を要求するよう構成される。これにより、例えば、利用者である子供が管理者である親に無断で第２文字列を追加・変更・削除することを抑制できる。
【０１２４】
＜＜＜その他の実施形態＞＞＞
以上、好適な実施形態について説明したが、本発明は上述した実施形態に限定されることなく種々の形態で実施することができる。例えば、上述した実施形態において、通信端末として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【０１２５】
また、上述した実施形態において、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが１つの筐体に配置され連結部を有さない型式（ストレートタイプ）でもよい。また、携帯電話機１は、開閉及び回転可能ないわゆる２軸ヒンジタイプであってもよい。
【０１２６】
また、検索サーバＰは、必要に応じてＷｅｂサーバ、ＤＢサーバ、アプリケーションサーバを含んで構成してよく、１台のサーバで構成しても、それぞれ別のサーバで構成してもよい。
【０１２７】
また、上述した実施形態において、携帯電話機１は、子供モード（第１モード）と大人モード（第２モード、通常モード）の２つのモードを有するが、これに限定されず、３つ以上のモードを有していてもよい。
【０１２８】
また、上述した実施形態において、第１モードとして子供モードの説明をしているが、これに限定されず、第１モードとしては、使用者モード（第２モードは管理者モード）であってもよい。また、同様に、第１モードとして、社員モード（第２モードは会社モード）であってもよい。
【０１２９】
また、上述した実施形態において、第１辞書１２１及び第２辞書１２２が利用を許可されているが、これに限定されず、いずれか一方のみが許可されていてもよい。この場合、検索実行部１０８は、第１辞書１２１又は第２辞書１２２の許可された一方のみから検索クエリに対応する情報を抽出処理する。
【０１３０】
また、上述した実施形態において、子供モードに設定された場合、携帯電話機１の内部に格納された第１辞書１２１等から所定の情報を抽出した後、外部の検索サーバＰを利用した外部検索をする際、検索結果に有害サイトが含まれないようするため検索クエリに所定の文字列を付加したり、検索結果に対して所定条件でフィルタリング処理をしてもよい。
【０１３１】
また、上述した実施形態において、子供モードの場合には、まずは携帯電話機１（無線通信端末）内のメモリに格納されている辞書より検索クエリに対する情報を抽出するものとしたが、予め設定された所定の辞書サイトにアクセスし、検索クエリに対応する情報を抽出するようにしても良い。
【符号の説明】
【０１３２】
１          携帯電話機
２          操作部側筐体
３          表示部側筐体
１１        操作キー群
４４        メモリ
４５        ＣＰＵ
１０１      操作部（入力部）
１０５      モード設定部
１０６      モード判定部
１０７      検索要求受付部
１０８      検索実行部
１２１      第１辞書
１２２      第２辞書
１３９      操作要求部
１４１      第２文字列記憶部
２００      無線通信部
Ｎ          通信網
Ｐ          検索サーバ
Ｑ          情報提供サーバ
【図１】
2010102689.tif 000003
【図２】
2010102689.tif 000004
【図３】
2010102689.tif 000005
【図４】
2010102689.tif 000006
【図５】
2010102689.tif 000007
【図６】
2010102689.tif 000008
【図７】
2010102689.tif 000009
【図８】
2010102689.tif 000010
【図９】
2010102689.tif 000011
【図１０】
2010102689.tif 000012
【図１１】
2010102689.tif 000013
【図１２】
2010102689.tif 000014